(57)【要約】      （修正有）【課題】骨盤の中の大転子１を締め付けることにより、骨盤のズレ、ゆがみを解消し毎日の生活の中で長時間着用できるようにした骨盤ベルトを提供する。【解決手段】骨盤のなかの特に大転子１に当たる部分をゴムベルトの多重構造もしくは繊維の構造によって他の部分より圧がかかるようになっており、大転子パットを併用することにより、さらに安定感を増し、骨盤の部分でも特に大転子１を締めることにより、骨盤を安定させ内臓を正しい位置に戻す事を特長とする骨盤ベルト。【選択図】図２
0003179794.tif 000002
【実用新案登録請求の範囲】
【請求項１】
本考案は骨盤のなかの特に大転子（１）に当たる部分をゴムベルトの多重構造もしくは繊維の構造によって他の部分より圧がかかるようになっており、図７〜図１５の大転子パットを併用することにより、さらに安定感を増す。骨盤の部分でも特に大転子（太もも脇の骨の出っ張り部分）を締めることにより、骨盤を安定させ内臓を正しい位置に戻す事を特長とする骨盤ベルト。
【考案の詳細な説明】
【考案の詳細な説明】
【技術分野】
【０００１】本考案は、骨盤矯正に寄与するゴムベルトの応用に関するものである。
骨盤ベルトで積極的に美容や健康商品として利用する為に考案したものである。
【在来の技術】
【０００２】現在、ほとんどの女性が自分のスタイルには気を使い、骨盤矯正にこだわってかなりのお金を使っている人がいるのが事実である。しかしながら従来の骨盤ベルトはウエストラインのくびれ、ダイエットに重心を置いた商品が多く、いかに綺麗に見せるかが目標であった。
その中には骨盤のゆがみで悩みを抱えている女性も多く、骨盤ベルト等を併用して健康関連商品に多額の費用を掛ける女性も多い。
しかし骨盤ベルトは的確な位置、大転子まわり（太もも脇の骨の出っ張り部分）に着用する商品は少なく、骨盤の上部を重点的に押さえる商品が主流であり、一般的に骨盤ベルトは骨盤体操や家庭内での軽い体操の時に着用するのが、普通であり常時着用するものではなかった。
【考案が解決しようとする課題】
【０００３】本考案は、骨盤ベルトでは今までは無かった新しい発想とデザインにより長時間付けていても苦しくない骨盤ベルトをめざす。
この骨盤ベルトは骨盤の中の大転子（１）を締め付けることにより、骨盤のズレ、ゆがみを解消し毎日の生活の中で長時間着用できるようにする。
【課題を解決する為の手段】
【０００４】骨盤ベルトは骨盤のなかの特に大転子（１）に当たる部分をゴムベルトの多重構造もしくは繊維の構造によって他の部分より圧がかかる構造にして、大転子の部分にクッション素材、図７〜図１５を使用したり、その部分を左右稼動式にしたりすることで確実に骨盤の部分でも大転子（太もも脇の骨の出っ張り部分（１））を締めることができ、骨盤を安定させ内臓を正しい位置に戻す事を特長とする骨盤ベルト。
【考案の効果】
【０００５】▲１▼  デザイン的にもすっきりして、着用感も良くなり、スポーツなどの激しい動きにも対応できる製品を供給できる。
▲２▼  骨盤の部分でも特に大転子（太もも脇の骨の出っ張り部分）を締めることにより、骨盤を安定させ内臓を正しい位置に戻すことができる。
▲３▼  図７〜図１６の大転子パットを併用することにより、さらに安定感を増し効率的に締め付けることが出来、着脱可能とすることで外出時にも邪魔にならない。
▲４▼  簡単に着脱できるため、トイレなどでの着脱の不便さが解消できる。
▲５▼  デザインや加工方法が容易であるから、大量生産ができるメリットがある。
▲６▼  面ファスナー（２）（３）とフックアイ（５）（６）を使い分けることができる。
▲７▼  大転子パット、図７〜図１５は仙骨（４）の部分につけるパットとしても応用できる。
【図面の簡単な説明】
【図１】本考案の骨盤ベルト１上面図
【図２】本考案の骨盤ベルト１正面図
【図３】本考案の骨盤ベルト１裏面図
【図４】本考案の骨盤ベルト２上面図
【図５】本考案の骨盤ベルト２正面図
【図６】本考案の骨盤ベルト２裏面図
【図７】大転子パット１上面図
【図８】大転子パット１正面図
【図９】大転子パット１側面図
【図１０】大転子パット２上面図
【図１１】大転子パット２正面図
【図１２】大転子パット２側面図
【図１３】大転子パット３上面図
【図１４】大転子パット３正面図
【図１５】大転子パット３側面図
【符号の説明】１  大転子部分
２  面ファスナーオス
３  面ファスナーメス
４  仙骨部分
５  フックアイオス
６  フックアイメス
【図１】
0003179794.tif 000003
【図２】
0003179794.tif 000004
【図３】
0003179794.tif 000005
【図４】
0003179794.tif 000006
【図５】
0003179794.tif 000007
【図６】
0003179794.tif 000008
【図７】
0003179794.tif 000009
【図８】
0003179794.tif 000010
【図９】
0003179794.tif 000011
【図１０】
0003179794.tif 000012
【図１１】
0003179794.tif 000013
【図１２】
0003179794.tif 000014
【図１３】
0003179794.tif 000015
【図１４】
0003179794.tif 000016
【図１５】
0003179794.tif 000017
【手続補正書】
【提出日】平成24年2月14日(2012.2.14)
【手続補正１】
【補正対象書類名】実用新案登録請求の範囲
【補正対象項目名】全文
【補正方法】変更
【補正の内容】
【実用新案登録請求の範囲】
【請求項１】
本考案は骨盤のなかの特に大転子（１）に当たる部分をゴムベルトの２重かさね及び３重かさね構造によって他の部分より圧がかかるようになっており、大転子（１）に面ファスナー等で、図７〜図１５の大転子パットを取り付けることにより、さらに刺激を与えることが出来、骨盤の部分でも特に大転子（太もも脇の骨の出っ張り部分）を締めることにより、骨盤を安定させ内臓を正しい位置に戻す事を特長とする骨盤ベルト。
【手続補正２】
【補正対象書類名】図面
【補正対象項目名】全図
【補正方法】変更
【補正の内容】
【図１】
0003179794.tif 000018
【図２】
0003179794.tif 000019
【図３】
0003179794.tif 000020
【図４】
0003179794.tif 000021
【図５】
0003179794.tif 000022
【図６】
0003179794.tif 000023
【図７】
0003179794.tif 000024
【図８】
0003179794.tif 000025
【図９】
0003179794.tif 000026
【図１０】
0003179794.tif 000027
【図１１】
0003179794.tif 000028
【図１２】
0003179794.tif 000029
【図１３】
0003179794.tif 000030
【図１４】
0003179794.tif 000031
【図１５】
0003179794.tif 000032
【手続補正書】
【提出日】平成24年5月22日(2012.5.22)
【手続補正１】
【補正対象書類名】実用新案登録請求の範囲
【補正対象項目名】全文
【補正方法】変更
【補正の内容】
【実用新案登録請求の範囲】
【請求項１】
６ｃｍ〜１０ｃｍのゴムベルトあるいは生地から作ったベルトを長さ５０〜１２０ｃｍを軸のベルトに対してへの字状のベルトとＶ字状のベルトを中心（４）および脇の部分（１）を固定し両端に固定用の面ファスナーもしくはフックアイを取り付け、もしくはベルトを８の字を横にした形で中心をクロスさせ脇の部分で固定し、両端に固定用の面ファスナーもしくはフックアイを取り付け、脇に当たる部分（１）をゴムベルトの構造によって他の部分より圧がかかるようにし、脇の部分（１）に面ファスナー等で、図７〜図９のゴムスポンジや図１０〜図１２の突起のあるゴムスポンジや図１３〜図１５ボール状の突起のあるゴムスポンジを取り付けることにより、さらに刺激を与え、大転子（太もも脇の骨の出っ張り部分）を締めることにより、骨盤を安定させ内臓を正しい位置に戻す事を特長とする骨盤ベルト。
【手続補正２】
【補正対象書類名】図面
【補正対象項目名】全図
【補正方法】変更
【補正の内容】
【図１】
0003179794.tif 000033
【図２】
0003179794.tif 000034
【図３】
0003179794.tif 000035
【図４】
0003179794.tif 000036
【図５】
0003179794.tif 000037
【図６】
0003179794.tif 000038
【図７】
0003179794.tif 000039
【図８】
0003179794.tif 000040
【図９】
0003179794.tif 000041
【図１０】
0003179794.tif 000042
【図１１】
0003179794.tif 000043
【図１２】
0003179794.tif 000044
【図１３】
0003179794.tif 000045
【図１４】
0003179794.tif 000046
【図１５】
0003179794.tif 000047
【手続補正書】
【提出日】平成24年8月29日(2012.8.29)
【手続補正１】
【補正対象書類名】実用新案登録請求の範囲
【補正対象項目名】全文
【補正方法】変更
【補正の内容】
【実用新案登録請求の範囲】
【請求項１】
６ｃｍ〜１０ｃｍのゴムベルトあるいは生地から作ったベルトを長さ５０〜１２０ｃｍを軸のベルトに対してへの字状のベルトとＶ字状のベルトを中心（４）および脇の部分（１）を固定し両端に固定用の面ファスナーもしくはフックアイを取り付け、もしくはベルトを８の字を横にした形で中心をクロスさせ脇の部分で固定し、両端に固定用の面ファスナーもしくはフックアイを取り付け、脇に当たる部分（１）をゴムベルトの構造によって他の部分より圧がかかるようにし、脇の部分（１）に面ファスナー等で、縦２０ｍｍ〜１００ｍｍ  横２０ｍｍ〜１００ｍｍ  厚さ５ｍｍ〜５０ｍｍのゴムスポンジや同等のゴムスポンジで１番広い面に３ｍｍ〜２０ｍｍの半円の突起が複数あるもの、あるいは同等のゴムスポンジで１番広い面に１０ｍｍ〜６０ｍｍの半円の突起が１つ有るゴムスポンジを取り付けることにより、さらに刺激を与え、大転子（太もも脇の骨の出っ張り部分）を締めることにより、骨盤を安定させ内臓を正しい位置に戻す事を特長とする骨盤ベルト。